(57)【要約】  【課題】  ケーブル導体の外周に内部半導電層、架橋ポリエチレン絶縁層、外部半導電層、クッション層、ワイヤーシールド、金属被及び防食層を備えた構成の電力ケーブルは、送電によって発熱すると捩じれを生じることが知られており、従来捩じれを防止するために、クッション層とワイヤーシールドとの間に展延性の小さい金属テープを巻回して設けていたが、高価であるとい問題があった。  【解決手段】  本願発明は、ワイヤーシールド６として、中心を中空またはクッション材入りとした撚線を使用し、ワイヤーシールドの張力に起因する捩じれを低減すると共に新たな部材を使用いないで安価な電力ケーブルを得ることができるようにしたものである。  【選択図】  図１
2005251457.tif 000002
【特許請求の範囲】
【請求項１】
ケーブル導体、架橋ポリエチレン絶縁体、クッション層、ワイヤーシールド、金属被及び防食層を備えてなる電力ケーブルにおいて、前記ワイヤーシールドとして、中心を中空またはクッション材入りとした撚線を使用したことを特徴とする電力ケーブル。
【請求項２】
ワイヤーシールドを複数の撚りピッチ数毎に逆向きとなる交互巻き構造としたことを特徴とする請求請１記載の電力ケーブル。
【発明の詳細な説明】
【技術分野】
【０００１】
本発明は、電力ケーブルに関するものである。
【背景技術】
【０００２】
一般に電力ケーブルは図３に示すように、ケーブル導体１の外周に内部半導電層２、架橋ポリエチレン絶縁層３、外部半導電層４、クッション層５、ワイヤーシールド６、金属被７及び防食層８を備えた構成になっている。
【０００３】
前記ワイヤーシールド６は、太さ１〜２ｍｍ程度の銅線を所定ピッチで巻付けて構成したものである。このワイヤーシールド６は、万一、架橋ポリエチレン絶縁層３が絶縁破壊した際に発生する数万アンペアの地短電流の帰路回路用として設けるものであり、これによってケーブル外部に地短電流が分流して生体への感電や通信機器類の故障を招くことを防止することができるものである。このためにワイヤーシールド６は通常８０〜１００本使用されている。
【０００４】
ところで上記構成の電力ケーブルは、送電によって発熱すると捩じれを生じることが知られている（特許文献１参照）。すなわち、電力ケーブルは、送電によって発熱し、このような発熱が生じると、架橋ポリエチレン絶縁層３が径方向及び軸方向に膨張し、これに伴ってワイヤーシールド６も一緒に伸ばされ、これが原因となって電力ケーブルに捩じれが発生するものである。電力ケーブルに捩じれが発生すると、ケーブルの接続部や終端部等に損傷を与えるという問題がある。このために捩じれを防止した電力ケーブルの開発が望まれているものである。
【０００５】
従来電力ケーブルの捩じれを防止するために、特許文献１に記載されているように、クッション層とワイヤーシールド（導電性金属素線）との間に展延性の小さい金属テープを巻回して設けた構成が知られている。
【０００６】
【特許文献１】特開平５−２７４９２４号公報
【発明の開示】
【発明が解決しようとする課題】
【０００７】
しかしながら、上記構成の電力ケーブルは、新たに展延性の小さい金属テープを巻き付ける構成であるので、高価になるという問題があった。
【課題を解決するための手段】
【０００８】
本発明は上記問題点に鑑みてなされたもので、安価でありかつ捩じれを防止できる電力ケーブルを提供するもので、その構成は、ケーブル導体、架橋ポリエチレン絶縁体、クッション層、ワイヤーシールド、金属被及び防食層を備えてなる電力ケーブルにおいて、前記ワイヤーシールドとして、中心を中空またはクッション材入りとした撚線を使用したことを特徴とするものである。
【０００９】
また、ワイヤーシールドを複数の撚りピッチ数毎に逆向きとなる交互巻き構造としたことを特徴とするものである。
【発明の効果】
【００１０】
ワイヤーシールドとして、中心を中空またはクッション材入りとした撚線を使用すると、送電による発熱で架橋ポリエチレン絶縁層が径方向等に膨張しても、これに伴ってワイヤーシールドも一緒に変形することができる。このためにワイヤーシールドの張力に起因する捩じれを低減することができる。また新たな展延性の小さい金属テープ等を使用しないので安価な電力ケーブルを得ることができる。
【００１１】
またワイヤーシールドを複数の撚りピッチ数毎に逆向きとなる交互巻き構造とすることにより、電力ケーブルの長手方向に沿って捩じれを相殺することができ、更に捩じれ難い電力ケーブルを得ることができる。
【発明を実施するための最良の形態】
【００１２】
以下に本発明の電力ケーブルの一実施例を図１〜図３を用いて詳細に説明する。
本発明に係る電力ケーブルの基本構成は、図３に示したように、ケーブル導体１の外周に内部半導電層２、架橋ポリエチレン絶縁層３、外部半導電層４、クッション層５、ワイヤーシールド６、金属被７及び防食層８を備えた構成になっている。
本発明の特徴点は、図１に示すように、ワイヤーシールド６を、中心が中空な撚線とした点にある。撚線を構成する素線６１としては、例えば太さ０．６ｍｍの銅線を使用し、６本の素線６１を、中心が中空になるように撚り合わせて構成したものである。
【００１３】
このように、ワイヤーシールド６を、中心が中空な撚線とすると、架橋ポリエチレン絶縁層が径方向等に膨張するに伴ってワイヤーシールドも一緒に変形することができる。このためにワイヤーシールドの張力に起因する捩じれを低減することが可能になる。
【００１４】
図２は本発明で使用するワイヤーシールド６の他の実施形態を示すもので、ワイヤーシールド６を、中心にクッション材６２を入れた撚線としたものである。クッション材６１としては、伸びやすくしかも径方向にクッション効果のある素材、例えばポリプロピレン繊維を撚ったものを使用する。撚線を構成する素線６１としては、前記実施形態と同様に、例えば太さ０．６ｍｍの銅線を使用し、クッション材６２を中心としてその外周に６本の素線６１を撚り合わせて構成したものである。
【００１５】
このように、中心にクッション材６１を入れた撚線をワイヤーシールド６として使用すると、架橋ポリエチレン絶縁層が径方向等に膨張するに伴ってワイヤーシールドも一緒に変形することができる。このためにワイヤーシールドの張力に起因する捩じれを低減することが可能になる。なお、中心に入れるクッション材６１の材質は、伸びやすくしかも径方向にクッション効果のある素材であればよく、特に限定するものではない。
【００１６】
上記のように、中心を中空またはクッション材入りとした撚線で構成したワイヤーシールドは、複数本クッション層５の外周に所定ピッチ、例えばクッション層５の外径の３〜４倍程度のピッチで巻付けて使用するものである。
【００１７】
ワイヤーシールド６の巻付け方は、通常所定ピッチで一方向に螺旋状に巻き付けるが、例えば数十ピッチ毎に撚り方向を変える、いわゆる交互巻き構造としてもよい。このような交互巻き構造にすると、電力ケーブルの長手方向に沿って捩じれを相殺することができ、更に捩じれ難い電力ケーブルを得ることができるという利点がある。
【図面の簡単な説明】
【００１８】
【図１】本発明で使用するワイヤーシールドの一実施形態を示す断面図。
【図２】本発明で使用するワイヤーシールドの他の実施形態を示す断面図。
【図３】電力ケーブルの説明図。
【符号の説明】
【００１９】
１    ケーブル導体
２    内部半導電層
３    架橋ポリエチレン絶縁層
４    外部半導電層
５    クッション層
６    ワイヤーシールド
７    金属被
８    防食層
６１  素線
６２  クッション材
【図１】
2005251457.tif 000003
【図２】
2005251457.tif 000004
【図３】
2005251457.tif 000005